(57)【要約】      （修正有）【課題】病害虫防除や除草剤散布において作物に影響を与えず低コストで薬効を確保すること、ポジティブリスト制度に準拠して空中飛散による環境汚染や隣接圃場への影響回避及び安全性の確保から、従来の全面散布にあってもドリフト軽減ノズルの使用や低圧少水量散布に移行しつつあり、次のステップとして低位置低圧散布ができ、装着作業の省力化が可能な畦間散布バーを提供する。【解決手段】散布バーセットと一体になった配液管と配液管取付金具及びホース連結カプラーの配設によって短時間で脱着が可能になり、低位置・低圧散布方式を採用してドリフトによる環境負荷の低減と隣接作物への影響を抑止すること、特に除草剤散布にあっては飛散防止カバーと低圧扇形ノズルを装着して畦間及び作物株元の雑草処理を正確に出来る構造とした。【選択図】図１
0003133005.tif 000002
【実用新案登録請求の範囲】
【請求項１】
動力噴霧機ブームに設置する固定金具によって保持される配液管とこれに一体となるよう緊縛された畦間散布バーを配設し、薬液を供給する主薬液ホースの先端と前記配液管の端部及び前記噴霧機ブームの端部に連結カプラーをそれぞれ取付けて、散布の切替えを前記カプラーの脱着によって行い、該散布バーと一体になっている該配液管の装着及び取り外し作業が迅速簡便に行なえることを特徴とした畦間散布バー。
【請求項２】
病害虫防除において、作物の種類や生長に合せて作物体の側面から薬液が散布できるように三ツ叉の噴霧孔を有する分岐管を薬液ホースで連結して一段若しくは複数段を配設し、散布段数と散布の高さや角度を留め具によって任意の位置に設定する事が出来る請求項１に記載の畦間散布バー。  
【請求項３】
除草剤散布時のドリフトによる環境負荷や隣接作物への影響を抑止するため、最下段に配設した前記三ツ叉分岐管に飛散防止カバーと低圧扇形ノズルを装着して高さや角度を任意の位置に設定することにより畦幅を底辺とした扇形の散布形状を確保して、畦間及び株元の雑草処理がより正確に出来ることを特徴とした請求項１及び請求項２に記載の畦間散布バー。  
【考案の詳細な説明】
【技術分野】
【０００１】
本考案は,ポジティブリスト制度遵守の面からドリフト害の軽減を図り、環境汚染や安全性の確保及び隣接する他作物への影響を最少化するために、従来の上面散布から、作物に対して畦間からの側面散布或いは低位置低圧散布を目的とした畦間散布バーに関するものである。
【背景技術】
【０００２】
畑作物への薬剤散布では上面からの高圧散布が一般的であったが、最近の情勢からドリフト低減ノズル及び低圧少水量散布などの普及が図られてきた。特に除草剤の散布においては作物の上層が一種の遮蔽壁になって株元へ除草剤が行き渡らず殺草効果が十分に発揮されない面もあり、畦線が明確な作物にあっては畦間から株元散布への必要性が高まり根際薬剤散布機などの普及が進んだ。
【０００３】
従来の根際薬剤散布機において難点とされていた、全面散布から畦間散布に切替える際に、噴霧機ブームに散布バーを直接ゴムベルトで一本づつ結束したり多数のノズルを一個づつ外して薬液ホースを接続し、使用しないノズルにメクラ蓋をかぶせるなど全面散布の元の形状に復帰させることも含め手間が多く十分に利用されない傾向が見られた。
【考案の開示】
【考案が解決しようとする課題】
【０００４】
ポジティブリスト制度の導入に伴いドリフトによる環境負荷の低減や安全性の確保及び隣接他作物への影響回避が大きな課題であり、併行して最小薬剤コストで最大の防除効果を目指すために対象作物に対して上面からの全面散布から畦間側面散布と低圧低位置散布を普及拡大するために利用しやすい形態の散布装置を実現する。
【課題を解決するための手段】
【０００５】
請求項１に記載する動力噴霧機本体ブームと畦間散布バーの脱着作業を迅速簡便に行なうために前記散布バーセットと一体を為す配液管を設け、噴霧機本体ブームに前記配液管を保持する固定金具を配設して、噴霧機本体後部と左右の本体ブームに三本の該配液管を配設する。噴霧機本体側３本の主薬液ホースの延長上にある先端と該配液管の端部及び噴霧機本体ブームの端部に連結カプラーをそれぞれ取付けて散布する側の該カプラーに該主薬液ホースを接続する。上面からの全面散布を行なう場合の切換え作業は、該主薬液ホースを該配液管から外して本体ブームの該カプラーに接続すると共に、本体ブームに取付けられた該配液管と該散布バーセットを一括して該固定金具から留め金を外すだけの操作で取り外し出来る構造とする。
【０００６】
請求項1に記載する噴霧機本体ブームの左右及び中央部に３本配設された該配液管に締め具により緊縛された該散布バーは、対象作物の畦間の中心部に接地するように懸架され噴霧機本体の型式及び畦幅によって相当数の多畦処理が可能である。
【０００７】
請求項２に記載する該散布バーは、地面との接触部を橇状にした強化樹脂から成り三ツ叉の噴霧孔を有する分岐管をホースで連結させ一段から複数段配設出来る。
【０００８】
請求項２に記載する該散布バーの病害虫防除においては、対象作物の生長を見ながら一段から複数段の設定をして前記三ツ叉分岐管の中央部１個にメクラ蓋をかぶせて三ツ叉のうち二個の噴霧孔により側面散布を実施する。
【０００９】
請求項３に記載する該散布バーの除草剤散布においては、低圧扇形ノズルと飛散防止カバーを装着して畦幅を底辺とした扇形の散布形状が得られるよう高さ、角度を留め具によって設定する。
【考案の効果】
【００１０】
本考案による、病害虫防除においては畦間中心部に位置する散布バーから作物の種類や生長に合せて散布すべき高さや角度を設定し、葉裏及び茎葉全体に薬液が十分に行き渡るように、また除草剤散布にあっては散布バーに飛散防止カバーと低圧扇形ノズルを装着して扇状の噴霧を形成することによりドリフト発生を軽減しながら畦間及び株元の雑草を処理する等ポジティブリスト制度に準拠した環境負荷の軽減、他作物への影響の最少化、安全性の確保など合理的な薬剤の散布が可能となる。
【考案を実施するための最良の形態】
【００１１】
本考案の実施についてトラクター装着型動力噴霧機にあっては本体後部に、乗用型防除管理機にあっては本体前部に取付けるが、取付け部位に差異はあるが取付けた後の本考案による実施の形態は同一であるのでトラクター装着型動力噴霧機に装着した図１〜図１８に基づいて説明する。
【００１２】
図１においては、本考案が作物の種類と生長に合せ病害虫防除若しくは除草剤散布を最も効果的に行なうためにトラクター１と噴霧機本体２のブーム３，４，５に畦間散布バーセット２７，２９，３１，３３を配設した状態及び噴霧の形状２８，３０，３２，３４を背面図として表したものである。
【００１３】
図１において、噴霧機本体ブーム３，４，５に取付けられた固定金具６により保持される配液管９には作物によって異なる畦幅に対応するよう散布バー薬液ホース１１へのホース接続金具１８を複数箇所設け使用しないホース接続金具１８はメクラ蓋１７で密閉する。
【００１４】
図１において、本体側３本の主薬液ホース７の延長上にあるホース先端８に連結カプラー３６を本体ブーム３，４，５の内側端部に連結カプラー３５と配液管９の内側端部に連結カプラー３５を配設して薬液ホース８の取付け切替えを容易にすると共に上面からの全面散布を行なう場合は、本体ブーム３，４，５に取付けられた配液管９に結束されたままの散布バーセット２７，２９，３１，３３を一括して固定金具６から留め金を外す操作で脱着出来る構造である。
【００１５】
図２から図３において、散布バー１０は上部先端に嵌入固定している取付具１９とこれに付随する取付具ベルト１９a と締め金具２０及び薬液ホース１１とホース締め具２２により連結する三ツ叉分岐管１４とこれを固定する取付具１２と締め金具１３により構成され地面と接触する底部を橇状２６に成型している。
【００１６】
図４から図５においては、散布バー１０を対象作物の畦幅に合わせ畦間の中心部に接地するよう配液管９に取付具１９とこれに付随する取付具ベルト１９a と締め金具２０によって緊縛固定し散布バーホース１１を配液管９に配設されている直近のホース接続金具１８に連結する。
【００１７】
図６から図７において、噴霧機本体ブーム５に固定金具６により配液管９を装着し噴霧形状３２を得るために散布バー１０に三ツ叉分岐管１４を二段に配設して上段の中央噴霧孔から下段の分岐管１４に薬液ホース１１で接続して下段の分岐管１４の中央噴霧孔にメクラ蓋１７をかぶせ上下の噴霧孔の両側に円形ノズル１６を装着して作物の生育最盛期に上面からの全面散布では葉裏等茎葉部に噴霧薬液が十分に届かない状況になったときに使用する。
【００１８】
図８から図９において、噴霧形状３４を得るために三ツ叉分岐管１４を三段に配設して上段の中央噴霧孔から中段へ、中段から最下段の分岐管１４に薬液ホース１１で接続して最下段の分岐管１４の中央噴霧孔にメクラ蓋１７をかぶせ上下の分岐管の両側噴霧孔に円形ノズル１６を装着して作物の生育最盛期に上面からの全面散布では葉裏等茎葉部に噴霧薬液が十分に届かない状況になったときに使用する。
【００１９】
図1０から図１１において、噴霧形状３２を得るために三ツ叉分岐管１４の噴霧孔に円形ノズル１６を装着したときの拡大図であって上面からの全面散布では下層の雑草に噴霧薬液が十分に届かない状況になったときに使用する。
【００２０】
図１２から図１３において、噴霧形状３０を得るために三ツ叉分岐管１４の両端噴霧孔にメクラ蓋をかぶせて中央一個に低圧扇形ノズル１５と三ツ叉分岐管１４に飛散防止カバー２１をカバー取付ゴム２３とカバー締め具２４及びカバー取付金具２５により装着したときの透視拡大図であって除草剤散布時における空中飛散の抑止と作物本体への除草剤付着を微少にする効果をもつ。
【００２１】
図1４から図１５において、噴霧形状２８を得るために三ツ叉分岐管１４の中央部にメクラ蓋１７をかぶせ両端噴霧孔に円形ノズル１６を装着したときの拡大図であって作物の生育最盛期に上面からの全面散布では葉裏等茎葉部に噴霧薬液が十分に届かない状況になったときに使用する。
【００２２】
図１６から図１７及び図１８において、主薬液ホース７と噴霧機本体ブーム３，４，５の内側端部と配液管９の内側端部に装着する連結カプラー３５と３６及び連結した状態のカプラー３７であって全面散布から畦間散布への切り替え作業の簡便化を図る。
【図面の簡単な説明】
【００２３】
【図１】本考案器具を装着した動力噴霧機の背面図。
【図２】本考案器具のうち、除草剤用散布バー（三ツ叉一段）の背面図。
【図３】本考案器具のうち、除草剤用散布バー（三ツ叉一段）の側面図。
【図４】本考案器具のうち、除草剤用低圧扇型ノズル（一ツ口一段）を装着した散布バーとカバーの背面図。
【図５】本考案器具のうち、除草剤用低圧扇型ノズル（一ツ口一段）を装着した散布バーとカバーの側面図。
【図６】本考案器具のうち、噴霧機本体バーに固定金具により配液管と病害虫防除用散布バー（二叉二段）を装着した背面図。
【図７】本考案器具のうち、噴霧機本体バーに固定金具により配液管と病害虫防除用散布バー（二叉二段）を装着した側面図。
【図８】本考案器具のうち、病害虫防除用散布バー（二叉三段）の背面図。
【図９】本考案器具のうち、病害虫防除用散布バー（二叉三段）の側面図
【図１０】本考案器具のうち、病害虫防除用噴口（三ツ叉一段）の背面拡大図。
【図１１】本考案器具のうち、病害虫防除用噴口（三ツ叉一段）の側面拡大図。
【図１２】本考案器具のうち、除草剤用低圧扇型ノズル（一ツ口一段）の飛散防止カバーを装着した状態の背面透視拡大図。
【図１３】本考案器具のうち、除草剤用低圧扇型ノズル（一ツ口一段）の飛散防止カバーを装着した状態の側面透視拡大図。
【図１４】本考案器具のうち、病害虫防除用噴口（二叉一段）の背面拡大図。
【図１５】本考案器具のうち、病害虫防除用噴口（二叉一段）の側面拡大図。
【図１６】本考案器具に使用するカプラーオスの拡大図。
【図１７】本考案器具に使用するカプラーメスの拡大図。
【図１８】本考案器具に使用するカプラーオスメス連結の拡大図。
【符号の説明】
【００２４】
１   トラクター                                
２   噴霧機本体                            
３   本体後部ブーム                  
４   本体右ブーム                  
５   本体左ブーム                          
６   配液管と本体ブーム固定金具  
７   主薬液ホース  
８   配液管と接続するホース先端  
９   配液管  
１０  散布バー  
１１  散布バー薬液ホース    
１２  三ツ叉分岐管取付具  
１３  三ツ叉分岐管締め金具  
１４  三ツ叉分岐管  
１５  低圧扇形ノズル（一ツ口）  
１６  円形ノズル
１７  メクラ蓋
１８  散布バーホース接続金具
１９  散布バー取付具
１９a 取付具ベルト
２０  散布バー締め金具
２１  飛散防止カバー
２２  薬液ホース締め具
２３  飛散防止カバー取付ゴム
２４  飛散防止カバー締め具
２５  飛散防止カバー取付金具
２６  散布バー橇部
２７  円形三ツ叉一段散布バーセット
２８  円形三ツ叉一段ノズルによる噴霧形状
２９  飛散防止カバー付一段扇形ノズル散布バーセット
３０  低圧扇形ノズルによる噴霧形状
３１  円形二ツ口二段散布バーセット
３２  円形二ツ口二段ノズルによる噴霧形状
３３  円形二ツ口三段散布バーセット
３４  円形二ツ口三段ノズルによる噴霧形状
３５  本体ブーム端部及び配液管端部連結カプラー
３６  主薬液ホース連結カプラー
３７  連結カプラーオスメスセットの連結状態
【図１】
0003133005.tif 000003
【図２】
0003133005.tif 000004
【図３】
0003133005.tif 000005
【図４】
0003133005.tif 000006
【図５】
0003133005.tif 000007
【図６】
0003133005.tif 000008
【図７】
0003133005.tif 000009
【図８】
0003133005.tif 000010
【図９】
0003133005.tif 000011
【図１０】
0003133005.tif 000012
【図１１】
0003133005.tif 000013
【図１２】
0003133005.tif 000014
【図１３】
0003133005.tif 000015
【図１４】
0003133005.tif 000016
【図１５】
0003133005.tif 000017
【図１６】
0003133005.tif 000018
【図１７】
0003133005.tif 000019
【図１８】
0003133005.tif 000020